(57)【要約】【課題】初期化放電を安定化させ、良好な品質で画像表示させることができるプラズマディスプレイパネルの駆動方法を提供する。【解決手段】背面基板上に、表示電極対とデータ電極とが対向して構成される主放電セルのそれぞれを区画するとともに隣接する２本の走査電極の隙間で構成されるプライミング放電セルを区画するように設けた隔壁とを備えたプラズマディスプレイパネルの駆動方法であって、サブフィールドの初期化期間において、主放電セル内の走査電極ＳＣｐ、ＳＣｐ＋１を陽極とし維持電極ＳＵ１〜ＳＵｎを陰極とする放電を発生させる前にプライミング放電セル内の走査電極ＳＣｐ、ＳＣｐ＋１を陽極としデータ電極Ｄ１〜Ｄｍを陰極とする放電を発生させるための電圧Ｖｘをデータ電極Ｄ１〜Ｄｍに印加する。【選択図】図４
2005258279.tif 000002
【特許請求の範囲】
【請求項１】
第１の基板と、
前記第１の基板上にあって、平行に配置した走査電極および維持電極からなる複数の表示電極対と、
放電空間を挟んで前記第１の基板に対向配置された第２の基板と、
前記第２の基板上にあって、前記表示電極対と交差する方向に配置した複数のデータ電極と、
前記第１の基板と前記第２の基板の間にあって、主放電を発生させる主放電セル、およびプライミング放電を発生させるプライミング放電セルを区画するように設けた隔壁とを備えたプラズマディスプレイパネルの駆動方法であって、
１フィールドを初期化期間、書込み期間および維持期間を有する複数のサブフィールドで構成し、
前記複数のサブフィールドのうち少なくともひとつのサブフィールドの初期化期間において、前記主放電セル内の走査電極を陽極とし維持電極を陰極として放電を発生させる前に、前記プライミング放電セル内の走査電極を陽極としデータ電極を陰極として放電を発生させるための電圧を前記データ電極に印加することを特徴とするプラズマディスプレイパネルの駆動方法。
【請求項２】
第１の基板と、
前記第１の基板上にあって、平行に配置した走査電極および維持電極からなる複数の表示電極対と、
放電空間を挟んで前記第１の基板に対向配置された第２の基板と、
前記第２の基板上にあって、前記表示電極対と交差する方向に配置した複数のデータ電極と、
前記第１の基板と前記第２の基板の間にあって、主放電を発生させる主放電セル、およびプライミング放電を発生させるプライミング放電セルを区画するように設けた隔壁とを備えたプラズマディスプレイパネルの駆動方法であって、
１フィールドを初期化期間、書込み期間および維持期間を有する複数のサブフィールドで構成し、
前記複数のサブフィールドのうち少なくともひとつのサブフィールドの初期化期間において、前記主放電セル内の走査電極を陽極とし維持電極を陰極として放電を発生させる前に、前記プライミング放電セル内の走査電極を陽極としデータ電極を陰極として放電を発生させるための電圧を前記維持電極に印加することを特徴とするプラズマディスプレイパネルの駆動方法。
【発明の詳細な説明】
【技術分野】
【０００１】
本発明は、壁掛けテレビや大型モニター等に用いられるプラズマディスプレイパネルの駆動方法に関する。
【背景技術】
【０００２】
プラズマディスプレイパネル（以下、ＰＤＰまたはパネルと略記する）は、大画面、薄型、軽量であることを特徴とする視認性に優れた表示デバイスである。
【０００３】
ＰＤＰとして代表的な交流面放電型パネルは、対向配置された前面板と背面板との間に多数の放電セルが形成されている。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としては、サブフィールド法、すなわち１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００５】
初期化期間では、すべての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるという働きをもつ。書込み期間では、走査電極に順次走査パルスを印加するとともに、データ電極には表示すべき画像信号に対応した書込みパルスを印加し、走査電極とデータ電極との間で選択的に書込み放電をおこし、選択的な壁電荷形成を行う。つづく維持期間では、走査電極と維持電極との間に所定の回数の維持パルスを印加し、書込み放電による壁電荷形成を行った放電セルを選択的に放電させ発光させる。
【０００６】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電をおこり難くしていること等、書込み放電に関しては放電遅れを大きくする要因が多い。したがって、書込み放電を安定して発生させるためのプライミングが非常に重要となる。
【０００７】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足して放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００８】
これらの問題を解決するために、パネルの前面板に設けたプライミング放電セルを用いてプライミングを発生させ、放電遅れを小さくするパネルとその駆動方法が提案されている（たとえば特許文献１）。
【特許文献１】特開２００２−１５０９４９号公報
【発明の開示】
【発明が解決しようとする課題】
【０００９】
近年、消費電力削減や輝度向上の要求にこたえるために、パネルの構造やパネル材料等に対する検討が活発になされている。たとえば、パネルに封入されている放電ガスのキセノン分圧を増加させることによりパネルの発光効率が向上することが一般に知られている。しかしながら上述のパネルおよびその駆動方法においては、キセノン分圧を増加させると放電、特に初期化放電が不安定になり、その結果、書込み不良を生じるおそれがあり、そのため書込み動作の駆動電圧マージンが狭くなるという課題があった。
【００１０】
本発明は、これらの課題に鑑みなされたものであり、初期化放電を安定化させ、良好な品質で画像表示させることができるプラズマディスプレイパネルの駆動方法を提供することを目的とする。
【課題を解決するための手段】
【００１１】
本発明のプラズマディスプレイパネルの駆動方法は、第１の基板と、第１の基板上にあって平行に配置した走査電極および維持電極からなる複数の表示電極対と、放電空間を挟んで第１の基板に対向配置される第２の基板と、第２の基板上にあって表示電極対と交差する方向に配置した複数のデータ電極と、第１の基板と第２の基板の間にあって主放電を発生させる主放電セルおよびプライミング放電を発生させるプライミング放電セルを区画するように設けた隔壁とを備えたプラズマディスプレイパネルの駆動方法であって、１フィールドを初期化期間、書込み期間および維持期間を有する複数のサブフィールドで構成し、複数のサブフィールドのうち少なくともひとつのサブフィールドの初期化期間において主放電セル内の走査電極を陽極とし維持電極を陰極として放電を発生させる前にプライミング放電セル内の走査電極を陽極としデータ電極を陰極として放電を発生させるための電圧をデータ電極に印加することを特徴とする。この駆動方法により、プラズマディスプレイパネルの初期化放電を安定化させ、良好な品質で画像表示させることが可能となる。
【００１２】
また、本発明のプラズマディスプレイパネルの駆動方法は、第１の基板と、第１の基板上にあって平行に配置した走査電極および維持電極からなる複数の表示電極対と、放電空間を挟んで第１の基板に対向配置される第２の基板と、第２の基板上にあって表示電極対と交差する方向に配置した複数のデータ電極と、第１の基板と第２の基板の間にあって主放電を発生させる主放電セルおよびプライミング放電を発生させるプライミング放電セルを区画するように設けた隔壁とを備えたプラズマディスプレイパネルの駆動方法であって、１フィールドを初期化期間、書込み期間および維持期間を有する複数のサブフィールドで構成し、複数のサブフィールドのうち少なくともひとつのサブフィールドの初期化期間において主放電セル内の走査電極を陽極とし維持電極を陰極として放電を発生させる前にプライミング放電セル内の走査電極を陽極としデータ電極を陰極として放電を発生させるための電圧を維持電極に印加してもよい。この駆動方法によっても、プラズマディスプレイパネルの初期化放電を安定化させ、良好な品質で画像表示させることが可能となる。
【発明の効果】
【００１３】
本発明によれば、初期化放電を安定化させ、良好な品質で画像表示させることができるプラズマディスプレイパネルの駆動方法を提供することができる。
【発明を実施するための最良の形態】
【００１４】
以下、本発明の実施の形態におけるパネルについて、図面を用いて説明する。
【００１５】
（実施の形態１）
図１は本発明の実施の形態１におけるパネルの構造を示す分解斜視図であり、図２は同パネルの断面図である。第１の基板であるガラス製の前面基板２１と第２の基板である背面基板３１とが放電空間を挟んで対向配置され、放電空間には放電によって紫外線を放射するネオンとキセノンとの混合ガスが封入されている。
【００１６】
前面基板２１上には、走査電極２２と維持電極２３とからなる表示電極対が互いに平行に複数対形成されている。このとき、走査電極２２、維持電極２３は、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。走査電極２２−走査電極２２間、および維持電極２３−維持電極２３間には黒色材料からなる光吸収層２８が設けられている。走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００１７】
背面基板３１上には、走査電極２２および維持電極２３と交差する方向にデータ電極３２が互いに平行に複数形成され、そしてデータ電極３２を覆うように誘電体層３３が形成されている。そして誘電体層３３の上に主放電セル４０を区画するための隔壁３４が形成されている。
【００１８】
隔壁３４は、データ電極３２と平行な方向に延びる縦壁部３４ａと、主放電セル４０を形成するとともに主放電セル４０の間に隙間部４１を形成する横壁部３４ｂとで構成されている。その結果、隔壁３４は一対の走査電極と維持電極とからなる表示電極対に沿って主放電セル４０を複数連結した主放電セル行を形成し、隣接した主放電セル行の間に隙間部４１を生じる。隙間部４１のうち、２本の走査電極が隣り合う側に位置する隙間部には突出部分２２ｂ’が形成されており、この隙間部はプライミング放電セル４１ａとして働く。すなわち隙間部４１は１つおきに突出部分２２ｂ’を有するプライミング放電セル４１ａとなっている。なお、隙間部４１ｂは２本の維持電極が隣り合う側に位置する隙間部である。
【００１９】
そして、これら隔壁３４の頂部は前面基板２１に当接するように平坦に形成されている。これは、隣接する放電セルの相互干渉を防ぐためであり、特に書込み期間において隣接する放電セルの書込み放電にともない発生するプライミングの影響を受けて誤書込みを生じる等の誤動作を防ぐためである。さらには、プライミング放電にともない、プライミング放電セル４１ａに隣接する主放電セル４０の壁電荷が減少し書込み不良を生じる等の誤動作を防ぐためである。本発明の実施の形態１においては、隔壁３４の段差が１０μｍ以下となるように形成されている。この値は、１０μｍを超えると隣り合う主放電セル４０間の相互干渉が発生し、プライミング放電セル４１ａと主放電セル４０との相互干渉も発生するという実験結果にもとづく値である。
【００２０】
そして、隔壁３４により区画された主放電セル４０に対応する誘電体層３３の表面と隔壁３４の側面とに蛍光体層３５が設けられている。さらに、プライミング放電セル４１ａに対応する誘電体層３３の表面と隔壁３４の側面とに酸化マグネシウム（ＭｇＯ）粉体を用いた電子放出層３９が設けられている。電子放出層３９の材料としては２次電子放出係数の大きい材料であればよく、他の金属酸化物、たとえば、Ｙ２Ｏ３、Ｌａ２Ｏ３、ＣｅＯ２、Ｅｒ２Ｏ３、Ｌｕ２Ｏ３、あるいは（Ｌａ，Ｍ１）Ｍ２Ｏ３（ただし、Ｍ１はＢａまたはＳｒ、Ｍ２はＣｏ、Ｎｉ、Ｆｅ、Ｍｎのいずれか）であらわされるペロブスカイト型構造を持つもの、さらには、（Ｌａ，Ｍ１）２Ｍ３Ｏ４（ただし、Ｍ１はＢａまたはＳｒ、Ｍ３はＣｕまたはＮｉ）であらわされるＫ２ＮｉＦ４型構造を持つもの等であってもよい。
【００２１】
なお、上述の説明ではデータ電極３２を覆うように誘電体層３３が形成されているが、この誘電体層３３は形成しなくてもよい。
【００２２】
図３は本発明の実施の形態１におけるパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の実施の形態１においては隣り合う走査電極ＳＣｐ、ＳＣｐ＋１（ｐ＝奇数）の突出部分（図１の突出部分２２ｂ’）の間でプライミング放電を行う。
【００２３】
そして、一対の走査電極ＳＣｉ、維持電極ＳＵｉ（ｉ＝１〜ｎ）と一つのデータ電極Ｄｊ（ｊ＝１〜ｍ）とを含む主放電セルＣｉ，ｊ（図１の主放電セル４０）が放電空間内にｍ×ｎ個形成される。また隣り合う走査電極ＳＣｐ、ＳＣｐ＋１の突出部分を含むプライミング放電セルＰＳｐ（図１のプライミング放電セル４１ａ）が形成される。
【００２４】
次に、パネルを駆動するための駆動波形とそのタイミングについて、パネルの動作とともに説明する。
【００２５】
図４は、本発明の実施の形態１におけるパネルの駆動波形図である。このように実施の形態１においては、１フィールド期間が初期化期間、書込み期間、維持期間を有する複数のサブフィールドから構成されており、書込み期間は、奇数番目の走査電極（以下、奇数走査電極と略記する）をもつ主放電セルの書込み動作を行う奇数ライン書込み期間と、偶数番目の走査電極（以下、偶数走査電極と略記する）をもつ主放電セルの書込み動作を行う偶数ライン書込み期間とを有し、奇数走査電極と偶数走査電極との書込み動作を時間的に分離して行う。これは壁電荷を用いてプライミング放電を順次継続して安定して発生させるためである。
【００２６】
まず、初期化期間前半部では、データ電極Ｄ１〜Ｄｍに負の電圧Ｖｘ（Ｖ）を印加し、維持電極ＳＵ１〜ＳＵｎは０（Ｖ）に保持し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。主放電セルＣｉ，ｊおよびプライミング放電セルＰＳｉ内では、この傾斜波形電圧が上昇する間に、走査電極ＳＣ１〜ＳＣｎと維持電極ＳＵ１〜ＳＵｎ、データ電極Ｄ１〜Ｄｍとの間でそれぞれ１回目の微弱な初期化放電がおこる。
【００２７】
このとき、主放電セルＣｉ，ｊ内で放電が発生する前に、まず最初にプライミング放電セルＰＳｉ内の走査電極ＳＣ１〜ＳＣｎとデータ電極Ｄ１〜Ｄｍとの間で微弱なプライミング放電がおこる。このときの放電は電子放出層３９の働きにより放電遅れの小さい安定した放電である。そして主放電セルＣｉ，ｊ内部にプライミングが供給される。つづいて、主放電セルＣｉ，ｊ内で走査電極ＳＣ１〜ＳＣｎと維持電極ＳＵ１〜ＳＵｎ、データ電極Ｄ１〜Ｄｍとの間でそれぞれ微弱な初期化放電がおこる。このときの放電は主放電セルＣｉ，ｊ内部にプライミングが供給された後に発生するため非常に安定した初期化放電となる。
【００２８】
そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上あるいは蛍光体層上に蓄積された壁電荷により生じる電圧をあらわす。
【００２９】
初期化期間後半部では、データ電極Ｄ１〜Ｄｍを０（Ｖ）に保持し、維持電極ＳＵ１〜ＳＵｎに正電圧Ｖｅを印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。主放電セルＣｉ，ｊおよびプライミング放電セルＰＳｉ内では、この間に、走査電極ＳＣ１〜ＳＣｎと維持電極ＳＵ１〜ＳＵｎ、データ電極Ｄ１〜Ｄｍとの間でそれぞれ２回目の微弱な初期化放電がおこる。そして、主放電セルＣｉ，ｊ内の走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。また、プライミング放電セルＰＳｉ内のデータ電極Ｄ１〜Ｄｍ上部の正の壁電圧は書込み期間におけるプライミング動作に適した値に調整される。
【００３０】
奇数ライン書込み期間では、奇数走査電極ＳＣｐを一旦電圧Ｖｃに保持する。そして、偶数走査電極ＳＣｐ＋１には、隣接する奇数走査電極ＳＣｐとの間でプライミング放電セルＰＳｐ内部に放電を生じさせるための電圧Ｖｑを印加する。次に、１番目の走査電極ＳＣ１に走査パルス電圧Ｖａを印加すると、プライミング放電セルＰＳ１内において２番目の走査電極ＳＣ２との間でプライミング放電が発生し、主放電セルＣ１，１〜Ｃ１，ｍ内部にプライミングが供給される。このとき、表示すべき画像信号に対応するデータ電極Ｄｋ（ｋは１〜ｍの整数）に正の書込みパルスＶｄを印加すると、データ電極Ｄｋと走査電極ＳＣ１との交差部で放電が発生し、対応する主放電セルＣ１，ｋの維持電極ＳＵ１と走査電極ＳＣ１との間の放電に進展する。そして主放電セルＣ１，ｋ内の走査電極ＳＣ１上部に正の壁電圧が蓄積され、維持電極ＳＵ１上部に負の壁電圧が蓄積され、１行目の書込み動作が終了する。なお、このとき、プライミング放電セルＰＳ１内部の走査電極ＳＣ１上部には正の壁電圧が蓄積され、走査電極ＳＣ２上部には負の壁電圧が蓄積される。
【００３１】
以下同様に奇数番目の主放電セルＣ３，ｋ，Ｃ５，ｋ，・・・について書込み動作を行う。
【００３２】
偶数ライン書込み期間では、偶数走査電極ＳＣｐ＋１を一旦電圧Ｖｃに保持する。そして、奇数走査電極ＳＣｐには、隣接する偶数番目の走査電極ＳＣｐ＋１との間でプライミング放電セルＰＳｐ内部に放電を生じさせるための電圧Ｖｑを印加する。そして、２番目の走査電極ＳＣ２に走査パルス電圧Ｖａを印加すると、プライミング放電セルＰＳ１内において１番目の走査電極ＳＣ１との間でプライミング放電が発生する。このときの放電は、プライミング放電セルＰＳ１内部の走査電極ＳＣ１上部に蓄積された正の壁電圧、走査電極ＳＣ２上部に蓄積された負の壁電圧が加算されるため放電遅れが小さく安定した放電となる。そして、主放電セルＣ２，１〜Ｃ２，ｍ内部にプライミングが供給される。このとき、表示すべき画像信号に対応するデータ電極Ｄｋに正の書込みパルスＶｄを印加すると、データ電極Ｄｋと走査電極ＳＣ２との交差部で放電が発生し、対応する主放電セルＣ２，ｋの維持電極ＳＵ２と走査電極ＳＣ２との間の放電に進展する。そして主放電セルＣ２，ｋ内の走査電極ＳＣ２上部に正の壁電圧が蓄積され、維持電極ＳＵ２上部に負の壁電圧が蓄積され、２行目の書込み動作が終了する。なお、プライミング放電セルＰＳ１内部の壁電圧は反転し、プライミング放電セルＰＳ１内部の走査電極ＳＣ１上部には負の壁電圧、走査電極ＳＣ２上部には正の壁電圧が蓄積される。
【００３３】
以下同様に偶数番目の主放電セルＣ４，ｋ，Ｃ６，ｋ，・・・について書込み動作を行い、書込み期間を終了する。
【００３４】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電をおこした主放電セルＣｉ，ｋにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、主放電セルＣｉ，ｋにおいて維持放電が発生する。以降同様に、走査電極ＳＣ１〜ＳＣｎと維持電極ＳＵ１〜ＳＵｎとに維持パルスを交互に印加することにより、書込み放電をおこした主放電セルＣｉ，ｋに対して維持パルスの回数だけ維持放電が継続して行われる。
【００３５】
つづくサブフィールドの初期化期間では、維持電極ＳＵ１〜ＳＵｎを正電圧Ｖｅに保ち、走査電極ＳＣ１〜ＳＣｎには電圧Ｖｉ４に向かって緩やかに下降する傾斜波形電圧を印加する。すると、維持放電を行った主放電セルＣｉ，ｋの走査電極ＳＣ１〜ＳＣｎと維持電極ＳＵ１〜ＳＵｎ、データ電極Ｄ１〜Ｄｍとの間でそれぞれ微弱な初期化放電がおこる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整される。
【００３６】
この後の書込み期間、維持期間、およびつづくサブフィールドの駆動波形およびパネルの動作は上述と同様である。
【００３７】
ここで、初期化期間前半部における動作について再度詳細に説明する。図５は初期化期間前半部における放電の説明図である。このときの放電は、（１）主放電セル４０内の走査電極２２を陽極とし維持電極２３を陰極とする放電、（２）主放電セル４０内の走査電極２２を陽極としデータ電極３２を陰極とする放電、（３）プライミング放電セル４１ａ内の走査電極２２を陽極としデータ電極３２を陰極とする放電の３つの放電について考える必要がある。なお、図５には、陰極側から陽極側に向かう矢印を用いて（１）〜（３）の各放電を示している。初期化放電の目的は主放電セル４０内の壁電圧の調整であるから、（１）と（２）の放電を安定して発生させることができればよい。しかし、（２）の放電は２次電子放出係数の小さい蛍光体層３５が陰極となるため放電が発生しにくく、不安定な放電になる傾向がある。また（１）の放電は２次電子放出係数の大きい保護層２５が陰極となるが、対向放電と比較して放電が発生しにくい面放電であるため、たとえばキセノン分圧を高めたパネル等の場合は放電が不安定になることがある。ところが（３）の放電は２次電子放出係数の大きい電子放出層３９が陰極であり、しかも対向放電であるため非常に安定した放電を発生させることができる。
【００３８】
そこで、本発明の実施の形態１においては、データ電極に電圧Ｖｘを印加することにより、（１）の放電を発生させる前に（３）の放電を発生させ、（３）の放電で生じたプライミングを利用して（１）の放電を安定して発生させるというものである。すなわち、主放電セル４０内の走査電極２２を陽極とし維持電極２３を陰極とする放電を発生させる前にプライミング放電セル４１ａ内の走査電極２２を陽極としデータ電極３２を陰極とする放電を発生させるための電圧Ｖｘをデータ電極３２に印加することを特徴としている。なお、プライミング放電セル４１ａ内に設けた電子放出層３９が走査電極−データ電極間の放電開始電圧を低下させるため、（２）の放電が（３）の放電より先に発生する恐れはない。
【００３９】
このように、本発明の実施の形態１におけるパネルの駆動方法によれば、初期化動作を安定して発生させることができるので、たとえば放電ガスのキセノン分圧を増加させたパネルであっても、初期化放電を安定化させ良好な品質で画像表示させることができる。
【００４０】
なお、本発明の実施の形態１においては、主放電セル４０内の走査電極２２を陽極とし維持電極２３を陰極として放電を発生させる前にプライミング放電セル４１ａ内の走査電極２２を陽極としデータ電極３２を陰極とする放電を発生させるための電圧として、データ電極３２に負の電圧Ｖｘを印加したが、図６に示すように維持電極２３に正の電圧Ｖｙを印加しても同様の効果を得ることができる。この場合、維持電極２３に正の電圧Ｖｙを印加することにより、主放電セル４０内の走査電極２２と維持電極２３との間の電圧差が小さくなり、（１）の放電の開始が遅れ結果的に（３）の放電が先行するので、（３）の放電で生じたプライミングを利用して（１）の放電を安定して発生させることが可能となる。
【００４１】
（実施の形態２）
本発明の実施の形態２におけるパネルの構造は実施の形態１と同じである。また駆動方法においても、書込み期間として奇数ライン書込み期間と偶数ライン書込み期間とをもち、それらを時間的に分離して行うことも実施の形態１と同様である。実施の形態２が実施の形態１と異なるところは、初期化期間についても奇数ライン初期化期間と偶数ライン初期化期間とを時間的に分離して設けたサブフィールドをもつことである。すなわち、複数のサブフィールドのうち少なくとも１つのサブフィールドにおいて、奇数番目の走査電極をもつ主放電セルの初期化動作を行う奇数ライン初期化期間と、偶数番目の走査電極をもつ主放電セルの初期化動作を行う偶数ライン初期化期間とを有し、奇数ライン書込み期間の直前に奇数ライン初期化期間を設け、偶数ライン書込み期間の直前に偶数ライン初期化期間を設けたことである。そして、それぞれの初期化期間の前半部では主放電セル内の走査電極を陽極とし維持電極を陰極とする放電を発生させる前にプライミング放電セル内の走査電極を陽極としデータ電極を陰極とする放電を発生させるための電圧をデータ電極に印加したことである。
【００４２】
次に、パネルを駆動するための駆動波形とそのタイミングについて、パネルの動作とともに説明する。図７は、本発明の実施の形態２におけるパネルの駆動波形図である。
【００４３】
まず、奇数ライン初期化期間の前半部では、データ電極Ｄ１〜Ｄｍに負の電圧Ｖｘ（Ｖ）を印加し、維持電極ＳＵ１〜ＳＵｎは０（Ｖ）に保持し、奇数走査電極ＳＣｐには電圧Ｖｉ１から電圧Ｖｉ２に向かって緩やかに上昇する傾斜波形電圧を印加する。この間に奇数番目の主放電セルＣｐ，ｊおよびプライミング放電セルＰＳｐ内では１回目の微弱な放電がおこり、奇数走査電極ＳＣｐ上部に負の壁電圧が蓄積されるとともに、データ電極Ｄ１〜Ｄｍ上部および奇数維持電極ＳＵｐ上部には正の壁電圧が蓄積される。実施の形態２においても実施の形態１と同様に、プライミング放電セルＰＳｐ内のプライミング放電が最初に開始し主放電セルにプライミングを供給する。そしてその後主放電セル内の初期化放電が発生する。このように、主放電セル内の初期化放電はプライミングが供給された状態で発生するので非常に安定した初期化放電となる。そして、奇数ライン初期化期間の後半部では、維持電極ＳＵ１〜ＳＵｎを正電圧Ｖｅに保ち、奇数走査電極ＳＣｐには、電圧Ｖｉ３から電圧Ｖｉ４に向かって緩やかに下降する傾斜波形電圧を印加する。この間に奇数番目の主放電セルＣｐ，ｊおよびプライミング放電セルＰＳｐ内では２回目の微弱な放電がおこり、奇数走査電極ＳＣｐ上部の負の壁電圧および奇数維持電極ＳＵｐ上部の正の壁電圧が弱められ、データ電極Ｄ１〜Ｄｍ上部の正の壁電圧は書込み動作に適した値に調整される。以上が奇数番目の主放電セル内部で発生する放電およびそれにともなう壁電圧の動きである。なお偶数ライン側の主放電セルＣｐ＋１，ｊ内部では放電が発生しない。
【００４４】
このとき、プライミング放電セルＰＳｐ内部では以下のような放電と壁電圧の動きが発生する。まず、奇数ライン初期化期間の前半部では、データ電極Ｄ１〜Ｄｍに負の電圧Ｖｘ（Ｖ）を印加しながら奇数走査電極ＳＣｐに緩やかに上昇する傾斜波形電圧を印加するため、まず最初に奇数走査電極ＳＣｐとデータ電極Ｄ１〜Ｄｍとの間で微弱な放電が開始し、その後奇数走査電極ＳＣｐと偶数走査電極ＳＣｐ＋１との間で微弱な放電がおこる。そして、プライミング放電セルＰＳｐ内部の奇数走査電極ＳＣｐ上部に負の壁電圧が蓄積されるとともに、偶数走査電極ＳＣｐ＋１上部には正の壁電圧が蓄積される。奇数ライン初期化期間の後半部では、奇数走査電極ＳＣｐには、電圧Ｖｉ３から電圧Ｖｉ４に向かって緩やかに下降する傾斜波形電圧を印加する。しかし、偶数走査電極ＳＣｐ＋１には放電を抑制するための電圧Ｖｒを印加するために放電は発生しないか、発生しても壁電荷を大きくは減少させない。
【００４５】
このように、奇数ライン書込み期間に先立って、プライミング放電セルＰＳｐ内部の奇数走査電極ＳＣｐ上には負の壁電圧が蓄積され、偶数走査電極ＳＣｐ＋１上には正の壁電圧が蓄積される。
【００４６】
つづく奇数ライン書込み期間では、すでに負の壁電圧が蓄積している奇数走査電極ＳＣｐにさらに負電圧の走査電圧パルスＶａを印加し、すでに正の壁電圧が蓄積している偶数走査電極ＳＣｐ＋１にさらに正の電圧Ｖｑを印加してプライミング放電を発生させる。したがって、最初のサブフィールドにおける書込み期間のプライミング放電も放電遅れの小さい安定した放電となる。そして、プライミング放電セルＰＳｐ内の奇数走査電極ＳＣｐ上に正の壁電圧、偶数走査電極ＳＣｐ＋１上に負の壁電圧が蓄積される。
【００４７】
次に、偶数ライン初期化期間の前半部では、データ電極Ｄ１〜Ｄｍに負の電圧Ｖｘ（Ｖ）を印加し、維持電極ＳＵ１〜ＳＵｎは０（Ｖ）に保持し、偶数走査電極ＳＣｐ＋１には電圧Ｖｉ１から電圧Ｖｉ２に向かって緩やかに上昇する傾斜波形電圧を印加する。このときも主放電セルＣｐ＋１，ｊ内の初期化放電はプライミングが供給された状態で発生するので非常に安定した初期化放電となる。そして、偶数ライン初期化期間の後半部では、維持電極ＳＵ１〜ＳＵｎを正電圧Ｖｅに保ち、偶数走査電極ＳＣｐには、電圧Ｖｉ３から電圧Ｖｉ４に向かって緩やかに下降する傾斜波形電圧を印加する。この間に偶数番目の主放電セルＣｐ＋１，ｊ内では奇数番目の主放電セルＣｐ，ｊと同様の初期化動作が行われる。なお偶数番目の主放電セルＣｐ＋１，ｊ内部では放電が発生しない。
【００４８】
このとき、プライミング放電セルＰＳｐ内の奇数走査電極ＳＣｐ上には正の壁電圧、偶数走査電極ＳＣｐ＋１上には負の壁電圧が蓄積されているため、偶数ライン初期化期間の前半部において偶数走査電極ＳＣｐ＋１に上昇する傾斜波形電圧を印加しても、壁電圧がこの電圧を打ち消す方向に働くために放電は発生しないか、発生しても壁電荷を大きくは減少させない。さらに、偶数ライン初期化期間の後半部において偶数走査電極ＳＣｐ＋１に下降する傾斜波形電圧を印加しても、奇数走査電極ＳＣｐに放電を抑制するための電圧Ｖｒを印加するために放電は発生しないか、発生しても壁電荷を大きくは減少させない。
【００４９】
つづく偶数ライン書込み期間では、負の壁電圧が蓄積している偶数走査電極ＳＣｐ＋１にさらに負電圧の走査電圧パルスＶａを印加し、正の壁電圧が蓄積している奇数走査電極ＳＣｐにさらに正の電圧Ｖｑを印加してプライミング放電を発生させる。このように、このときのプライミング放電も電極に印加した電圧にさらに壁電圧が加算されるため、放電遅れの小さい安定した放電となる。そして、プライミング放電セルＰＳｐ内の偶数走査電極ＳＣｐ＋１上に正の壁電圧、奇数走査電極ＳＣｐ上に負の壁電圧が蓄積される。
【００５０】
このように、本発明の実施の形態２におけるパネルの駆動方法によっても、初期化動作を安定して発生させることができるので、たとえば放電ガスのキセノン分圧を増加させたパネルであっても、初期化放電を安定化させ良好な品質で画像表示させることができる。
【００５１】
なお、本発明の実施の形態２においても、図６に示すように、主放電セル４０内の走査電極２２を陽極とし維持電極２３を陰極として放電を発生させる前にプライミング放電セル４１ａ内の走査電極２２を陽極としデータ電極３２を陰極として放電を発生させるための電圧として、維持電極２３に正の電圧Ｖｙを印加してもよい。この場合も、維持電極２３に正の電圧Ｖｙを印加することにより、主放電セル４０内の走査電極２２と維持電極２３との間の電圧差が小さくなり（１）の放電の開始が遅れ結果的に（３）の放電が先行するので、（３）の放電で生じたプライミングを利用して（１）の放電を安定して発生させることが可能となる。
【００５２】
また、本発明の実施の形態１および実施の形態２において、最初のサブフィールドの初期化期間はすべての主放電セルで初期化放電を行う全セル初期化動作を行い、次のサブフィールドの初期化期間は維持放電を行った主放電セルを選択的に初期化する選択初期化動作を行うものとして説明したが、これらの初期化動作は任意に組み合わせてもよい。
【００５３】
また、ＡＣ型ＰＤＰの各電極は誘電体層に囲まれており放電空間と絶縁されているため、直流成分は放電そのものには何ら寄与しない。したがって、図４、図６および図７に示した駆動電圧波形に任意の直流電圧を重畳印加しても本発明の実施の形態１、実施の形態２と同様の効果が得られる。
【産業上の利用可能性】
【００５４】
本発明のパネルの駆動方法は、初期化放電を安定化させ、良好な品質で画像表示させることができるので、壁掛けテレビや大型モニター等に用いられるプラズマディスプレイ装置等に有用である。
【図面の簡単な説明】
【００５５】
【図１】本発明の実施の形態１におけるパネルの構造を示す分解斜視図
【図２】同パネルの断面図
【図３】同パネルの電極配列図
【図４】同パネルの駆動波形図
【図５】初期化期間前半部における放電の説明図
【図６】同パネルの他の駆動波形図
【図７】本発明の実施の形態２におけるパネルの駆動波形図
【符号の説明】
【００５６】
２１    前面基板
２２    走査電極
２２ａ，２３ａ    透明電極
２２ｂ，２３ｂ    金属母線
２２ｂ’    突出部分
２３    維持電極
２４    誘電体層
２５    保護層
２８    光吸収層
３１    背面基板
３２    データ電極
３３    誘電体層
３４    隔壁
３４ａ    縦壁部
３４ｂ    横壁部
３５    蛍光体層
３９    電子放出層
４０    主放電セル
４１ａ    プライミング放電セル
【図１】
2005258279.tif 000003
【図２】
2005258279.tif 000004
【図３】
2005258279.tif 000005
【図４】
2005258279.tif 000006
【図５】
2005258279.tif 000007
【図６】
2005258279.tif 000008
【図７】
2005258279.tif 000009